(57)【特許請求の範囲】
【請求項１】
円形天面壁及び該天面壁の周縁から垂下する円筒形スカート壁を具備し、該スカート壁の内周面には雌螺条が形成され、該スカート壁には該雌螺条よりも上方において周方向に間隔をおいて周方向に延在する複数個のスリットが形成されている合成樹脂製容器蓋において、
該スカート壁の内周面には、該雌螺条の上側面の上端に続いて水平に延在する上側面を規定する弧状突条が形成されており、該弧状突条の上側面には、周方向に延在する洗浄水受面が規定されており、
該スカート壁の内周面上端部には周方向に間隔をおいて半径方向内方に延びる複数個のリブ片が付設されており、該リブ片の下端は該スリットよりも下方であるが該洗浄水受面よりは上方に位置する、ことを特徴とする合成樹脂製容器蓋。
【請求項２】
該雌螺条の最上部の上側面は水平に延在する形状に変形され、該洗浄水受面は該雌螺条の該最上部の上側面及び該弧状突条の上側面に規定されている、請求項１に記載の合成樹脂製容器蓋。
【請求項３】
円形天面壁及び該天面壁の周縁から垂下する円筒形スカート壁
を具備し、該スカート壁の内周面には雌螺条が形成され、該スカート壁には該雌螺条よりも上方において周方向に間隔をおいて周方向に延在する複数個のスリットが形成されている合成樹脂製容器蓋において、
該スカート壁の内周面には、該スリットよりも下方で且つ該雌螺条の上端よりも上方に位置し、周方向に水平に延在する環状突条が形成されており、該環状突条の上側面には、周方向に延在する該洗浄水受面が規定されており、
該スカート壁の内周面上端部には周方向に間隔をおいて半径方向内方に延びる複数個のリブ片が付設されており、該リブ片の下端は該スリットよりも下方であるが該洗浄水受面よりは上方に位置する、ことを特徴とする合成樹脂製容器蓋。
【請求項４】
該洗浄水受面は周方向全体に渡って連続して延在する、請求項１から３までのいずれかに記載の合成樹脂製容器蓋。
【請求項５】
該天面壁の内面には容器の口頸部の外周面に密接される外側シール片が形成されており、該スリットは該外側シール片の下端よりも上方に位置し、該洗浄水受面は該外側シール片の下端よりも下方に位置する、請求項１から４までのいずれかに記載の合成樹脂製容器蓋。
【発明の詳細な説明】
【技術分野】
【０００１】
本発明は、合成樹脂製容器蓋、更に詳細には円形天面壁及びこの天面壁の周縁から垂下する円筒形スカート壁を具備し、スカート壁の内周面には雌螺条が形成され、該スカート壁には該雌螺条よりも上方において周方向に間隔をおいて周方向に延在する複数個のスリットが形成されている合成樹脂製容器蓋に関する。
【背景技術】
【０００２】
周知の如く、飲料用容器として、円筒形状の口頸部を有し、この口頸部の外周面には雄螺条が形成されている合成樹脂、ガラス或いは薄板金属から形成された容器が広く実用に供されている。そして、かかる容器のための容器蓋として、下記特許文献１及び２に開示されているとおり、円形天面壁及びこの天面壁の周縁から垂下する円筒形スカート壁を具備し、スカート壁の内周面には雌螺条が形成され、スカート壁には雌螺条よりも上方において周方向に間隔をおいて周方向に延在する複数個のスリットが形成されている合成樹脂製容器蓋が使用されている。容器に内容物を充填した後に容器の口頸部に容器蓋を装着して口頸部を密封する。この際には、容器の口頸部に容器蓋を被嵌し閉回転方向に容器蓋を回転して口頸部の雄螺条に容器蓋の雌螺条を螺合する。而して、容器内に内容物を充填する際には、内容物が口頸部の外周面に付着してしまうことが少なくない。それ故に、口頸部に容器蓋を装着して口頸部を密封した後に、容器蓋に加熱洗浄水を噴射する。噴射された洗浄水は容器蓋のスカート壁に形成されている複数個のスリットを通して容器蓋と容器の口頸部との間の空間に進入し、容器蓋のスカート壁の内周面と共に口頸部の外周面を洗浄する。
【先行技術文献】
【特許文献】
【０００３】
【特許文献１】特開２００９−１５４９４１号公報
【特許文献２】特開２００９−１７３３１１号公報
【発明の概要】
【発明が解決しようとする課題】
【０００４】
上述したとおりの形態の容器蓋における複数個のスリットは、容器蓋の外観を毀損することなく、そしてまた容器蓋に埃等が堆積する部位を生成することがないように配設することが要求され、それ故に通常極めて薄い切断刃によってスカート壁を切断することによって形成され、スリットの上下方向幅は著しく小さい。それ故に、充分な量の洗浄水をスリットを通して容器蓋のスカート壁と容器の口頸部との間の空間に進入させることが困難である、という解決すべき問題がある。
【０００５】
本発明は上記事実に鑑みてなされたものであり、その主たる技術的課題は、複数個のスリットの上下方向幅を大きくすることなくして、容器蓋のスリットを通して容器蓋のスカート壁と容器の口頸部との間に流入する洗浄水の量が増大される、新規且つ改良された合成樹脂製容器蓋を提供することである。
【課題を解決するための手段】
【０００６】
本発明者等は、鋭意検討及び実験の結果、スカート壁の内周面にスリットよりも下方に位置し且つ雌螺条の上端よりも上方を或いは雌螺条の上端に続いて周方向に延在する洗浄水受面を配設することによって上記主たる技術的課題を達成することができることを見出した。
【０００７】
即ち、本発明の第一の局面によれば、上記主たる技術的課題を達成する合成樹脂製容器蓋として、円形天面壁及び該天面壁の周縁から垂下する円筒形スカート壁を具備し、該スカート壁の内周面には雌螺条が形成され、該スカート壁には該雌螺条よりも上方において周方向に間隔をおいて周方向に延在する複数個のスリットが形成されている合成樹脂製容器蓋において、
該スカート壁の内周面には、該雌螺条の上側面の上端に続いて水平に延在する上側面を規定する弧状突条が形成されており、該弧状突条の上側面には、周方向に延在する洗浄水受面が規定されており、
該スカート壁の内周面上端部には周方向に間隔をおいて半径方向内方に延びる複数個のリブ片が付設されており、該リブ片の下端は該スリットよりも下方であるが該洗浄水受面よりは上方に位置する、ことを特徴とする合成樹脂製容器蓋が提供される。
また、本発明の第二の局面によれば、円形天面壁及び該天面壁の周縁から垂下する円筒形スカート壁
を具備し、該スカート壁の内周面には雌螺条が形成され、該スカート壁には該雌螺条よりも上方において周方向に間隔をおいて周方向に延在する複数個のスリットが形成されている合成樹脂製容器蓋において、
該スカート壁の内周面には、該スリットよりも下方で且つ該雌螺条の上端よりも上方に位置し、周方向に水平に延在する環状突条が形成されており、該環状突条の上側面には、周方向に水平に延在する該洗浄水受面が規定されており、
該スカート壁の内周面上端部には周方向に間隔をおいて半径方向内方に延びる複数個のリブ片が付設されており、該リブ片の下端は該スリットよりも下方であるが該洗浄水受面よりは上方に位置する、ことを特徴とする合成樹脂製容器蓋が提供される。
【０００８】
本発明の第一の局面にあっては、該雌螺条の最上部の上側面は水平に延在する形状に変形され、該洗浄水受面は該雌螺条の該最上部の上側面及び該弧状突条の上側面に規定されているのが好ましい。該洗浄水受面は周方向全体に渡って連続して延在するのが好適である。該天面壁の内面には容器の口頸部の外周面に密接される外側シール片が形成されており、該スリットは該外側シール片の下端よりも上方に位置し、該洗浄水受面は該外側シール片の下端よりも下方に位置するのが好都合である。
【発明の効果】
【０００９】
本発明の合成樹脂製容器蓋によれば、後述する実施例及び比較例からも明確に理解されるとおり、複数個のスリットの上下方向幅を大きくすることなくして、容器蓋のスリットを通して容器蓋のスカート壁と容器の口頸部との間に流入する洗浄水の量が増大される。
【図面の簡単な説明】
【００１０】
【図１】図１は、本発明に従って構成された合成樹脂製容器蓋の好適実施形態を、一部を断面で示す正面図。
【図２】図１の線II−IIに沿った断面図。
【図３】図１の容器蓋の一部を拡大して示す部分断面図。
【図４】図１の容器蓋のスカート壁の内周面に形成されている雌螺条及び洗浄水受面を示す展開図。
【図５】本発明に従って構成された合成樹脂製容器蓋の他の好適実施形態を示す図４と同様の展開図。
【発明を実施するための形態】
【００１１】
以下、本発明に従って構成された合成樹脂製容器蓋の好適実施形態を図示している添付図面を参照して、更に詳述する。
【００１２】
図１を参照して説明すると、ポリエチレン又はポリプロピレンの如き適宜の合成樹脂から一体に射出又は圧縮成形することができる、全体を番号２で示す容器蓋は、円形天面壁４及びこの天面壁４の周縁から垂下する円筒形スカート壁６を具備している。天面壁４の内面周縁部には、同心状に配設された円筒形状の内側シール片８及び円筒形状の外側シール片１０と共に半径方向に見て内側シール片８と外側シール片１０との間に位置する環状突起１２が形成されている。天面壁４の内面における内側シール片８よりも半径方向内側部においては、図１と共に図２を参照することによって明確に理解される如く、中央円形部、内側シール片８の基端に内接する円環状部及び中央円形部と縁環状部との間を放射状に延びる８個の放射状部を除く部位、即ち８個の扇状部位１４においては肉厚が低減されている。
【００１３】
スカート壁６には周方向に延在する周方向破断ライン１６が配設されており、スカート壁６は周方向破断ライン１６よりも上方の主部１８と周方向破断ライン１６よりも下方のタンパーエビデント裾部２０とに区画されている。更に詳述すると、図示の実施形態においては、スカート壁６の主部１８とタンパーエビデント裾部２０との境界領域において内径が急激に変動し（上方の比較的小さい内径から下方に比較的大きい内径に急激に変動し）、内径が比較的大きい部位の上端部の内周面には周方向に間隔をおいて軸線方向に延びる複数個の突条２２が配設されている。そして、かかる突条２２が配設されている部位において、突条２２の一部を残留せしめてスカート壁６を周方向に切断することによって周方向破断ライン１６が形成されている。タンパーエビデント裾部２０は突条２２の切断されることなく残留された部分即ち橋絡部２４によって主部１８に接続されている。
【００１４】
スカート壁６の主部１８の外周面には、その上端部及び下端部を除いて、ナール山とナール谷とが周方向に交互に存在するナール２６が形成されている（図２も参照されたい）。スカート壁６の主部１８の内周面には雌螺条２８が形成されている。かかる雌螺条２８には複数個の中断部２９が配設されている。更に，スカート壁６には、雌螺条２８よりも上方において周方向に間隔を置いて周方向に延在する複数個（例えば６個）のスリット３０が形成されている。かかるスリット３０は上記外側シール片１０の下端よりも上方に位置するのが好都合である。一方、タンパーエビデント裾部２０の内周面には係止手段３２が配設されている。図示の実施形態においては、係止手段３２は周方向に間隔をおいて配設された複数個の係止片３４から構成されており、係止片３４の各々はタンパーエビデント裾部２０の内面から半径方向内方に向かって上方に傾斜して延出している。
【００１５】
本発明に従って構成された容器蓋２においては、スカート壁６の内周面には上記スリット３０よりも下方に位置し且つ雌螺条２８よりも上方を或いは雌螺条２８の上端に続いて周方向に延在する洗浄水受面３６が配設されていることが重要である。図１及び図２と共に図３及び図４を参照して説明を続けると、図示の実施形態においては、雌螺条２８は７２０度に渡って配設されており、通常の雌螺条に加えて最上部に位置する変形雌螺条部３８−１及び３８−２を含んでいる。図示の実施形態においては、変形雌螺条部３８−１及び３８−２は共に４５度の角度範囲に渡って延在している。変形雌螺条部３８−１及び３８−２においては上側面が実質上水平に延在せしめられており、更に変形雌螺条部３８−２においては半径方向内方への突出高さが最上端に向かって漸次低減されている。そして、上面側が実質上水平に延在するように変形された変形雌螺条部３８−１及び３８−２に続いて、実施上水平に延在する上側面を有する弧状突条４０が形成されており、雌螺条２８の変形雌螺条部３８−１及び３８−２の上側面と弧状突条４０の上側面とによって周方向全体に渡って連続して延びる洗浄水受面３６が規定されている。弧状突条４０の横断面形状は略半円形状でよい。洗浄水受面３６は上記外側シール片１０の下端よりも幾分下方に位置するのが好ましい。スカート壁６の内周面上端部に、周方向に間隔をおいて半径方向内方に延びる複数個のリブ片４２が配設されている。リブ片４２の各々は図２において時計方向に向かって傾斜して半径方向内方に延び、その半径方向先端は上記外側シール片１０の外周面に接続され、その上端は天面壁４の内面に接続されている。リブ片４２の下端は、上記スリット３０よりも下方であるが洗浄水受面３６よりも上方であるのが好都合である。
【００１６】
図５には、本発明に従って構成された容器蓋の変形実施形態が図示されている。この変形実施形態においては、雌螺条２８を延長して変形を加えることなく、スカート壁６の内周面に、スリット３０よりも下方で且つ雌螺条２８の上端よりも上方に位置し、周方向に全周に渡って水平に延在する環状突条４４が形成されており、この環状突条の上側面によって洗浄水受面３６を規定している。図５に図示する変形実施形態における洗浄水受面３６に関する上述したとおりの構成以外は、図１乃至図４に図示する実施形態と実質上同一でよい。
【００１７】
図１には、容器蓋２と共にこの容器蓋２が装着される容器の口頸部４６も二点鎖線で図示されている。ポリエチレンテレフタレートの如き適宜の合成樹脂或いはガラスから形成することができる容器の口頸部４６は、全体として円筒形状であり、上面は開口されている。口頸部４６の外周面には、雄螺条４８、この雄螺条４８の下方に位置する係止あご部５０、及び係止あご部５０の更に下方に位置するサポートリング５２が形成されている。当業者には周知の如く、サポ−トリング５２は容器を搬送する際に利用される。
【００１８】
容器内に清涼飲料の如き内容物を充填した後に、口頸部４６に容器蓋２を装着して口頸部４６を密封する際には、口頸部４６に容器蓋２を被嵌して容器蓋２を閉方向、即ち図１において上方から見て時計方向に回転せしめる。かくすると、容器蓋２の雌螺条２８が口頸部４６の雄螺条４８に螺合され、容器蓋２は回転と共に相対的に下降せしめられる。容器蓋２が所要位置、即ち図１に図示する位置、まで下降せしめられると、容器蓋２の天面壁４の内面に形成されている環状突起１２が口頸部４６の頂面に当接せしめられると共に、容器蓋２の天面壁４の内面に形成されている内側シール片８及び外側シール片１０が夫々口頸部４６の内周面及び外周面に密接乃至当接せしめられ、かくして口頸部４６が密封される。タンパーエビデント裾部２０の内周面に形成されている係止片３４は口頸部４６の係止あご部５０を弾性的に乗り越えてその下方に位置せしめられる。
【００１９】
容器の口頸部４６を通して容器内に内容物、即ち清涼飲料の如き飲料、を充填する際には、内容物が飛散して口頸部４６の外周面に付着してしまう傾向がある。そこで、容器の口頸部４６に容器蓋２を所要とおりに装着して口頸部４６を密封した後に、容器蓋２、特にそのスカート壁６の上端部に洗浄水を噴射し、スカート壁６に形成されているスリット３０を通して口頸部４６の外周面とスカート壁６の内周面との間に洗浄水を流入せしめて口頸部４６の外周面及びスカート壁６の内周面を洗浄する。而して、本発明に従って構成された容器蓋２においては、上記スリット３０よりも下方に位置し且つ雌螺条２８よりも上方を或いは雌螺条２８の上端に続いて延在する洗浄水受面３６がスカート壁６の内周面に配設されている故に、後述する実施例及び比較例の記載から明確に理解される如く、スリット３０を通して充分な量の洗浄水が口頸部４６の外周面とスカート壁６の内周面との間に流入せしめられ、従って充分良好に口頸部４６の外周面及びスカート壁６の内周面を洗浄することができる。洗浄水受面３６を配設することによって、スリット３０を通して充分な量の洗浄水を口頸部４６の外周面とスカート壁６の内周面との間に流入せしめることができる理由は、必ずしも明白ではないが、本発明者等は、スリット３０を通して口頸部４６の外周面とスカート壁６の内周面との間に流入した洗浄水が洗浄水受面３６に一時的に滞留し、洗浄水受面３６上にスリット３０まで達する洗浄水溜りが生成され、この洗浄水溜りが所謂呼び水効果を生成する故である、と推定している。
【００２０】
図１を参照して説明を続けると、容器の内容物を消費するために口頸部４６を開封する際には、容器蓋２を開方向、即ち図１において上方から見て反時計方向、に回転せしめる。かくすると、雌螺条２８と雄螺条４８との協働によって容器蓋２の天面壁４と共にスカート壁６の主部１８は回転と共に相対的に上昇せしめられる。一方、タンパーエビデント裾部２０は、その内周面に形成されている係止片３４が口頸部４６の係止あご部５０に係止せしめられる故に上昇が阻止される。従って、周方向破断ライン１６の橋絡部２４に応力が生成され、橋絡部２４が破断される。周方向破断ライン１６の橋絡部２４が破断されてタンパーエビデント裾部２０が主部１８から分離された後においては、容器蓋２の天面壁４及びスカート壁６の主部１８は回転と共に自由に上昇せしめられて口頸部４６から離脱され、かくして口頸部４６が開封される。
【００２１】
実施例１
図１乃至図４に図示するとおりの形態の呼び径２８ｍｍのポリプロピレン製容器蓋を圧縮成形した。スリットは切断刃によってスカート壁を周方向に３．６ｍｍ渡って切断することによって、周方向に等間隔をおいて６個形成した。スリットの幅は０．３ｍｍであった。雌螺条の変形を加えた最上部の周方向延在角度は９０度で、弧状突条の周方向延在角度は１７０度であった。弧状突条の半径方向突出長さは０．３ｍｍであった。
【００２２】
上記容器蓋を図１に図示するとおりの口頸部を備えているポリエチレンテレフタレート製容器の口頸部に装着して口頸部を密封した。しかる後に、広さ７９００ｃｍ２で水平に延在し直径８ｍｍの噴射孔が実質上等間隔をおいて３２個形成されている噴射面を有する噴射装置によって、７３℃の温水を４分に渡って容器蓋の上方から噴射した。この際には、容器蓋の下半部には温水がかからないようにしてカバーしてスリット以外から温水が容器の口頸部と容器蓋との間に侵入しないようにした。そして、タンパーエビデント裾部の下端と容器の口頸部との隙間から流出する温水を収集して、収集した温水の量を測定した。５個の容器蓋について測定した結果は下記表１のとおりであった。
【００２３】
実施例２
容器蓋のスカート壁の内周面に配設されている洗浄水受面の形態が図５に図示するとおりあったことを除いて、実施例１の容器蓋と同一の容器蓋を５個形成し、実施例１と同様な方法によって、スリットを通して容器の口頸部と容器蓋のスカート壁との間に進入した温水の量を測定した。５個の容器蓋について測定した結果は下記表１のとおりであった。
【００２４】
比較例
洗浄水受面を構成する環状突条が形成されていない点を除き、実施例２の容器蓋と同一の容器蓋を５個形成し、実施例１と同様な方法によって、スリットを通して容器の口頸部と容器蓋のスカート壁との間に進入した温水の量を測定した。５個の容器蓋について測定した結果は下記表１のとおりであった。
【００２５】
【表１】
0006688686.tif 000002
【符号の説明】
【００２６】
２：容器蓋
４：天面壁
６：スカート壁
８：内側シール片
１０：外側シール片
１２：環状突起
１６：周方向破断ライン
１８：スカート壁の主部
２０：タンパーエビデント裾部
２８：雌螺条
３０：スリット
３２：係止手段
３６：洗浄水受面
３８−１：変形雌螺条部
３８−２：変形雌螺条部
４０：弧状突条
４２：リブ片
４４：環状突条
４６：容器の口頸部
４８：雄螺条
５０：係止あご部
【図１】
0006688686.tif 000003
【図２】
0006688686.tif 000004
【図３】
0006688686.tif 000005
【図４】
0006688686.tif 000006
【図５】
0006688686.tif 000007